(57)【特許請求の範囲】
【請求項１】
浴槽の浴水を入水し、所定の浄化処理を施した後、再び該浴水を浴槽に出水する浴水浄化装置において、
浴水浄化装置の運転制御を行う制御装置と、
浴水浄化装置の運転記録を逐次記憶するための記憶装置と、
該記憶装置に記憶されたデータを着脱可能な記憶装置、通信装置による送信等により外部に取り出し可能とし、
更に薬剤注入装置を備え、
前記記憶装置には、前記薬剤注入装置による薬剤注入を含む制御内容及び表示と告知の内容がその時間と共に逐次記録されることで、前記薬剤注入装置による薬剤注入記録を運転時間との関係で運転記録すると共に任意に取り出すことで、
薬剤注入の実施内容を含む運転記録報告の作成を行えるようにしたことを特徴とする、
浴水浄化装置。
【請求項２】
前記記憶装置に記憶される運転記録が、浄化装置の停止記録と共に記録されるメンテナンスの記録、故障の記録、運転時間の記録、の１以上を含む、
請求項１に記載の浴水浄化装置。
【発明の詳細な説明】
【０００１】
【発明の属する技術分野】
この発明は、浴水浄化装置に関する。
【０００２】
【従来の技術】
浴槽水の浴水を入水して所定の浄化処理を加えた後に浴槽に出水し、この行程を繰り返すことにより浴水を循環浄化する浴水浄化装置が知られている。
【０００３】
【発明が解決しようとする課題】
該浴水浄化装置において、定期的なメンテナンスなどのために、前回のメンテナンスの記録や故障の記録或いは運転時間などの記録が必要であるが、従来は手書きの記録が主として行われていた。またこれらの情報を記憶装置に記憶するものもあるが、表示内容が記号化されており、熟練者でも対応表等が必要であった。また、該記憶内容をデータとして取り出すことはできない問題があった。
また、近年薬剤の注入などによる殺菌の必要性が求められているが、これら薬剤注入の記録を残すものはなかった。
本発明は上記従来技術の問題を解決することを目的とする。
【０００４】
【課題を解決するための手段】
上記目的を達成するために、本発明は、浴槽の浴水を入水し、所定の浄化処理を施した後、再び該浴水を浴槽に出水する浴水浄化装置において、浴水浄化装置の運転制御を行う制御装置と、浴水浄化装置の運転記録を逐次記憶するための記憶装置と、該記憶装置に記憶されたデータを着脱可能な記憶装置、通信装置による送信等により外部に取り出し可能とし、更に薬剤注入装置を備え、前記記憶装置には、前記薬剤注入装置による薬剤注入を含む制御内容及び表示と告知の内容がその時間と共に逐次記録されることで、前記薬剤注入装置による薬剤注入記録を運転時間との関係で運転記録すると共に任意に取り出すことで、薬剤注入の実施内容を含む運転記録報告の作成を行えるようにしたことを特徴とする、浴水浄化装置とすることで課題を解決した。
また本発明は、前記記憶装置に記憶される運転記録が、浄化装置の停止記録と共に記録されるメンテナンスの記録、故障の記録、運転時間の記録、の１以上を含む、請求項１に記載の浴水浄化装置とすることで課題を解決した。
【０００５】
【発明の実施の形態】
以下本発明の実施の形態を図面に基づいて説明する。
図１において、循環ポンプ２０の稼働により浴槽Ｔの浴水は吸込口２４から浴水浄化装置Ｙに入水し、ヘアキャッチャー２３を通り、湯温検知センサ２８を経由して循環ポンプ２０を通って、更に管路切替バルブ２７を経由し、ろ過タンク２１においてろ過される。そして、加熱装置２２により所定温度まで加温され管路切替バルブ２６を通って吐出口２５から浴槽Ｔに出水され、この循環を繰り返して浄化されるように構成されている。
【０００６】
管路切替バルブ２６から吐出口２５の間に塩素注入器である殺菌装置１が設けられており、塩素流量計２と逆止弁５０を介して配管４０に接続している。
またヘアキャッチャー２３と循環ポンプ２０の間の配管４１には塩素濃度測定装置３が設けられている。
【０００７】
浴水浄化装置Ｙ内部の洗浄を行う場合には、管路切替バルブ２６と管路切替バルブ２７をＡ−Ｃ接続とする。これにより浴水は循環ポンプ２０から管路切替バルブ２６を介して加熱装置２２に逆方向から流入し、更にろ過タンク２１へと逆方向から流入して洗浄する。洗浄後の汚れた水は、管路切替バルブ２７を通って排水管４２から排水されるようになっている。
【０００８】
殺菌装置１から塩素の注入がなされると、該塩素は塩素流量計２と逆止弁５０を介して配管４０に送られ、更に吐出口２５から浴槽Ｔ内に吐出する。そして、吸込口２４から吸引されてヘアキャッチャー２３を経由して塩素濃度測定装置３においてその塩素濃度が検出されるようになっている。
【０００９】
なお、２９は水不足検知センサ、５０、５１、５２はそれぞれ逆止弁である。
【００１０】
図２にこの実施形態の制御装置の構成を示す。制御装置３０はマイクロコンピュータを主体に構成されており、浴水浄化装置Ｙ全体の制御を行っている。該制御装置３０には表示部３１と操作部３２が設けられており、操作部３２からユーザなどが種々の指令を入力する。表示部３１は様々な表示を行うものであって、種々の表示や告知などを表示部３１において行うようになっている。
【００１１】
制御装置３０は、循環ポンプ２０の運転制御、水不足検知センサ２９からの情報に基づく循環ポンプ２０の停止等の制御、管路切替バルブ２６と管路切替バルブ２７の開閉制御による通常運転モードと熱洗浄モードの切替、湯温検知センサ２８からの情報に基づく加熱装置２２の加温制御、殺菌装置１による塩素注入による殺菌、塩素流量計２に基づく塩素注入量の制御、塩素濃度測定装置３からの情報に基づく塩素濃度の制御、等を行うようになっている。またこれらの制御の際に、種々の表示及び告知を表示部３１において行うように構成されている。
なお、４は各種オプションである。
【００１２】
制御装置３０には実装メモリ３３が設けられており、上記した制御内容及び表示と告知の内容がその時間と共に逐次記録されるようになっている。またメンテナンスや故障が生じた場合には、浄化装置の停止記録と共に記録されるようになっている。
【００１３】
制御装置３０には更にＩＣメモリなどの着脱メモリ３４が着脱可能に設けられており、操作部３２からの所定の操作により実装メモリ３３に記録された運転記録データを着脱メモリ３４に書き込むことができるようになっている。
更にこの実施形態では通信装置３５を備えており、実装メモリ３３のデータを外部に送信することができるようになっている。
【００１４】
着脱メモリ３４にコピーされ、或いは通信装置３５により送信されたデータは種々の作業に利用可能である。例えば、故障の際には該データを専門技術者に送り、故障箇所の診断等を行わせることが可能である。また該データをプリントアウトし、保健所などに提出することも可能である。
【００１５】
着脱メモリ３４には更に制御プログラムが格納可能になっている。この制御プログラムを制御装置３０にダウンロードすれば、該制御プログラムにより浴水浄化装置Ｙを駆動制御することが可能になる。これにより仕様変更やオプションの追加や変更などにも簡単に対応可能になる
【００１６】
以上説明した実施形態によれば、制御装置３０による制御に基づく運転の記録、或いはその他の運転の記録、表示部３１における表示や告知の記録が実装メモリ３３に記憶される。実装メモリ３３の記憶内容は着脱メモリ３４又は通信機器３５により任意に取り出すことが可能であり、故障診断や運転記録報告の作成等を簡単に行うことが可能になる。
また、着脱メモリ３４に制御プログラムを格納し、制御装置３０にダウンロードして用いることにより仕様変更等が設置後であっても簡単に行うことができる。
【００１７】
【発明の効果】
以上説明したように本発明の浴水浄化装置によれば、浴水浄化装置の運転記録を記憶し、該データを外部に出力できるから、データの解析を容易に行うことができ、故障の分析や消毒の記録などを簡単に行うことができる。また薬剤注入量、薬剤注入時間、薬剤注入濃度などの薬剤注入の記録を時間経過と共に記録できる等の効果がある。
【図面の簡単な説明】
【図１】本発明の一実施形態を示す概略図。
【図２】本発明の一実施形態の制御装置を示すブロック図。
【符号の説明】
１：殺菌装置、２：塩素流量計、３：塩素濃度測定装置、４：各種オプション、２０：循環ポンプ、２１：ろ過タンク、２２：加熱装置、２３：ヘアキャッチャー、２４：吸込口、２５：吐出口、２６：管路切替バルブ、２７：管路切替バルブ、２８：湯温検知センサ、２９：水不足検知センサ、３０：制御装置、３１：表示部、３２：操作部、３３：実装メモリ、３４：着脱メモリ、３５：通信装置、４０：配管、４１：配管、４２：排水管、５０：逆止弁、５１：逆止弁、５２：逆止弁。
【図１】
0004126139.tif 000002
【図２】
0004126139.tif 000003